(57)【要約】【課題】地震によって吊りボルトが、その植え込み基部で破断したとしても、吊支装置が落下しないようにする吊りボルトの落下防止具を提供することにある。【解決手段】フレーム１は、垂直片２と、該垂直片２の上端に設けられ、建築躯体の天井部１０から垂設された吊りボルト７が挿通され、且つ、該吊りボルト７の天井部１０への捻じ込み基部７ａに固定されるフレーム固着部５が設けられた上水平片３と、該垂直片２の下端に設けられ、吊りボルト７の挿通用の通孔６が形成された下水平片４とで構成されている。脱落防止部８は、フレーム１内で吊りボルト７に固定される。外径が下水平片４の通孔６より大きい。【選択図】図２
2014214531.tif 000002
【特許請求の範囲】
【請求項１】
垂直片と、該垂直片の上端に設けられ、建築躯体の天井部から垂設された吊りボルトが挿通され、且つ、該吊りボルトの天井部への捻じ込み基部に固定されるフレーム固着部が設けられた上水平片と、該垂直片の下端に設けられ、吊りボルトの挿通用の通孔が形成された下水平片とで構成されたフレームと、
フレーム内に配設され、外径が下水平片の通孔より大きく、吊りボルトに固定される脱落防止部とで構成されることを特徴とする吊支装置の落下防止具。
【請求項２】
フレームが、１つの垂直片の上下両端に上・下水平片を設けたコ字状、または２以上の垂直片の上下両端に上・下水平片を設けた箱型であることを特徴とする請求項１に記載の吊支装置の落下防止具。
【請求項３】
脱落防止部が、脱落防止用ナットと、脱落防止用ナットと下水平片との間に設けられる緩衝材或いは脱落防止用ナットと緩衝材に加えて脱落防止用ナットと緩衝材との間に設けられ、下水平片の通孔より外径が大きいワッシャとで構成されていることを特徴とする請求項１又は２に記載の吊支装置の落下防止具。
【請求項４】
フレームは、フレーム固着部及び通孔を通って２分割されたフレーム半体とで構成され、
脱落防止部は、吊りボルトへの固着部分を通って２分割された防止部半体とで構成されていることを特徴とする請求項１〜３のいずれかに記載の吊支装置の落下防止具。
【発明の詳細な説明】
【技術分野】
【０００１】
本発明は、建築躯体の天井部から吊りボルトにて吊支される空調設備、配管或いは軽天井等の吊支装置が地震によって大きく揺れた時、吊りボルトが天井部の植え込み基部で破断した場合でも破断した吊りボルトを吊持して吊支装置が落下しないようにする吊支装置の落下防止具に関する。
【背景技術】
【０００２】
天井吊下型の室内機のような空調設備や配管或いは軽天井等に用いられる吊りボルトは、従来、建築構造物の天井部に打ち込まれたアンカーにその上端の雄ネジを螺着して吊り下げられる。そして、天井近傍まで持ち上げられた空調設備等の取付金具に吊りボルトの下端の雄ネジに螺着されたナットを掛止して吊持する（非特許文献１）。
【０００３】
このような状態で地震が発生すると、重い吊支装置は大きく揺れ、吊持している吊りボルトは振動の方向に大きく撓み、吊りボルトの天井部への捻じ込み基部に大きな繰り返し曲げモーメントが加わり、捻じ込み基部において疲労破断が生ずる虞がある。吊りボルトが破断すれば、重い吊支装置が天井から転落し、非常に危険である。
【０００４】
そこで、このような天井設備のジョイント部分の発明として特許文献１に記載のものがある。このものは、スラブ等の吊支持用ナットと吊ボルト間に介設使用して、吊ボルトの垂直と斜め吊りを自在としたジョイント金具で、帯状金属板をプレス加工によって側面開口一体のボックス状にして天壁を湾曲してその交差方向に長孔を有する金具本体と、その底壁に固定した固定ナットと、長孔の縁部に回転支持部を対接して金具本体を支持する支持ボルトを備えており、支持ボルトを吊支持用ナットに螺装し、固定ナットに吊ボルトを螺装している。金具本体は支持ボルトに回転可能であり、また金具本体と支持ボルトは長孔の範囲で相対位置可変であって、支持ボルトの吊角度を３６０度自在とすることができるようになっている。
【０００５】
この場合は、ジョイント部分にストレスが発生しないが、通常の状態でも吊支装置を揺れ動くことになり、空調設備やシステム天井など通常の状態では固定されているべきものには適用することができない。また、特許文献１に示すような落下防止具は、新設の場合には適用可能であるが、既設の場合には適用不可能であった。
【先行技術文献】
【非特許文献】
【０００６】
【非特許文献１】かずとこ、“住宅建築専門用語辞典”、［online］、［平成２５年４月２５日検索］、インターネット〈ＵＲＬ：http://www.what-myhome.net/18tu/turiboruto.htm〉
【特許文献】
【０００７】
【特許文献１】特開２０１１−１７３５７号公報
【発明の概要】
【発明が解決しようとする課題】
【０００８】
本発明はこのような状況にかんがみてなされたもので、その目的とするところは、新設の場合は勿論、既設の場合にも適用可能であって、仮に、地震によってその植え込み基部が破断したとしても、吊支装置が落下しないようにする吊支装置の落下防止具を提供するにある。
【課題を解決するための手段】
【０００９】
以上のような課題を解決するために請求項１に記載の吊支装置１２の落下防止具Ａは、
垂直片２と、該垂直片２の上端に設けられ、建築躯体の天井部１０から垂設された吊りボルト７が挿通され、且つ、該吊りボルト７の天井部１０への捻じ込み基部７ａに固定されるフレーム固着部５が設けられた上水平片３と、該垂直片２の下端に設けられ、吊りボルト７の挿通用の通孔６が形成された下水平片４とで構成されたフレーム１と、
フレーム１内に配設され、外径が下水平片４の通孔６より大きく、吊りボルト７に固定される脱落防止部８とで構成されることを特徴とする。
【００１０】
請求項２は、フレーム１が、１つの垂直片２の上下両端に上・下水平片３，４を設けたコ字状、または２以上の垂直片２の上下両端に上・下水平片３，４を設けた箱型であることを特徴とする。
【００１１】
請求項３は、脱落防止部８が、脱落防止用ナット８ａと、脱落防止用ナット８ａと下水平片４との間に設けられる緩衝材８ｂ或いは脱落防止用ナット８ａと緩衝材８ｂに加えて脱落防止用ナット８ａと緩衝材８ｂとの間に設けられ、下水平片４の通孔６より外径が大きいワッシャ８ｃとで構成されていることを特徴とする。
【００１２】
請求項４は、既設用の吊りボルト７に適用できるもので、請求項１〜３のいずれかに記載の吊支装置の落下防止具Ａにおいて、
フレーム１は、フレーム固着部５及び通孔６を通って２分割されたフレーム半体１ａ、１ｂとで構成され、
脱落防止部８は、吊りボルト７への固着部分を通って２分割された防止部半体８ａ１、８ａ２とで構成されていることを特徴とする。
【発明の効果】
【００１３】
この発明によれば、落下防止具Ａは、図３，４に示すように、建築躯体の天井部１０のアンカーナット１１に捻じ込まれた吊りボルト７の捻じ込み基部７ａに取り付けて使用されるので、地震が発生し、吊支装置１２の大きな揺れに伴って大きく撓み、疲労破壊によって吊りボルト７が螺入部分７ｂの捻じ込み基部７ａで破断しても破断部分の直下に螺着されている脱落防止部８がフレーム１の下水平片４の通孔６に引っ掛かってそれ以上落下せず、吊支装置１２の転落を防止できる。
【００１４】
なお、脱落防止部８として、緩衝材８ｂを設けている場合には、吊りボルト７の揺れや破断時のショックを緩衝材８ｂにて緩和することができる。フレーム１がコ字状の場合でも、垂直片２の撓みによって上記緩和を得ることができる。従って、この場合は緩衝材８ｂを省略することができる。
【００１５】
フレーム１や脱落防止部８を２分割しておけば、既設の吊りボルト７に簡単に装着でき、既設の吊りボルト７の破断に対して吊支装置１２の落下防止も可能となる。
【図面の簡単な説明】
【００１６】
【図１】本発明を利用した場合の施工例図である。
【図２】本発明の第１実施例の施工部分の拡大斜視図である。
【図３】(a)は第１実施例の正面図、(b)は吊りボルトが撓んだ時の正面図、(c)は吊りボルトが断裂した時の正面図である。
【図４】(a)は第２実施例の正面図、(b)は吊りボルトが撓んだ時の正面図、(c)は吊りボルトが断裂した時の正面図である。
【図５】既設吊りボルトへの装着状態を示す斜視図である。
【図６】図５の分解斜視図である。
【図７】図５の変形例の分解斜視図である。
【発明を実施するための形態】
【００１７】
以下、本発明を図面に従って説明する。図２及び図３(a)は本発明の第１実施例（吊りボルト７が新設の場合）で、これに用いられる落下防止具Ａのフレーム１は、一枚の板金を折り曲げて箱型としたもので、左右二つの垂直片２の上下両端間に上・下水平片３，４が設けられている。この場合、上水平片３は折り曲げ片が上下に重ね合わされてスポット溶接されて、強度が２倍となっている。勿論、これに限られず、角パイプを切断したようなものを用いることも可能である。そして、上水平片３には丸孔３ａが穿設され、この丸孔３ａ合致して下面六角ナットを溶接したフレーム固着部５が設けられている。前記六角ナットに代えて上水平片３に直接雌ネジを穿設し、これをフレーム固着部５としてもよい。この点は他の実施例においても共通する。
【００１８】
そして、下水平片４には吊りボルト７の直径より大きい通孔６が穿設されている。なお、フレーム固着部５は、上水平片３の下面に一体的に取り付けた例を示したが、別体とすることも出来る。その場合は別体のフレーム固着部５を天井部１０に向かって締め付けて行くことでフレーム１を天井部１０に固定する。この場合、丸孔３ａに雌ネジを刻設しておいてもよく、丸孔３ａによる締め付けとフレーム固着部５による締め付けがなされる。
【００１９】
脱落防止部８は、本実施例では脱落防止用ナット８ａ、緩衝材８ｂ及びワッシャ８ｃとで構成されている。脱落防止用ナット８ａとしてはここでは通常の六角ナットが使用されている。緩衝材８ｂは、通常のゴムリングや低反発ゴムリングなどが使われ、その外径は通孔６より大きい。内径は吊りボルト７には嵌り込む大きさから、吊りボルト７の直径よりかなり大きい寸法に形成されている。ワッシャ８ｃの外径は通孔６より大きく、内径は吊りボルト７の直径よりかなり大きい寸法に形成されている。
【００２０】
吊りボルト７は全長にわたって雄ネジが刻設されていてもよいし、上下両端部分の必要個所に雄ネジが刻設されているだけのものであってもよい。
【００２１】
構造躯体の天井部１０の下面の所定箇所にはアンカーナット１１が埋設されている。
【００２２】
しかして、フレーム１内にて緩衝材８ｂ及びワッシャ８ｃを吊りボルト７の一端部に通し、更に脱落防止用ナット８ａを螺入した状態で、その端部を上水平片３のフレーム固着部５に螺入して上水平片３から所定量だけ突き出す。続いて、吊りボルト７の下端に周知の吊下部材１３を取り付ける。そしてこの突き出し部分（この部分が螺入部分７ｂになる。）をアンカーナット１１に螺入して吊りボルト７を天井部１０に垂設する。
【００２３】
そして、吊りボルト７に螺装されているフレーム１を天井部１０側に向けて回転させ、天井部１０の下面にアンカーナット１１とでダブルナット状態で締め付け固定する。最後に、脱落防止用ナット８ａを下水平片４方向に回して下水平片４上に位置するワッシャ８ｃに軽く接触又は近接位置まで下げる。
【００２４】
最後に、吊支装置１２を天井部１０まで持ち上げ、吊支装置１２の側面に設けた吊り金具１４に吊下部材１３をボルト止めし、吊支装置１２を吊りボルト７に吊り下げる。
【００２５】
この状態で地震が発生すると重い吊支装置１２は大きく揺れ、これによって吊りボルト７は繰り返して大きく撓み、吊りボルト７の捻じ込み基部７ａに大きな繰り返し曲げモーメントが発生する。吊りボルト７の螺入部分７ｂはフレーム固着部５の下面に一致する場所まではアンカーナット１１及びフレーム固着部５に螺着されていて天井部１０と一体になっているため、この繰り返し曲げモーメントによりフレーム固着部５の下面に一致する場所の雄ネジの谷に繰り返して応力集中が発生し、遂には疲労による亀裂が入り、最後には瞬間的に断裂する。
【００２６】
吊りボルト７が断裂すると、螺入部分７ｂを残して断裂した吊りボルト７はわずかに下に落ちるが、ワッシャ８ｃが緩衝材８ｂを介して下水平片４の通孔６に係合して、それ以上の落下が防止される。これにより吊りボルト７の破損によって転落を余儀なくされていた吊支装置１２の落下を確実に防止することができる。
【００２７】
なお、緩衝材８ｂの存在により、吊支装置１２が揺れている時に、緩衝材８ｂが撓むことにより揺れのエネルギーを吸収して減震させることになる。また、吊りボルト７の断裂時の衝撃も吸収することができる。
【００２８】
また、フレーム１の垂直片２の間隔と揺れの関係であるが、揺れた時にワッシャ８ｃ（即ち、脱落防止具８）が垂直片２に、及び吊りボルト７が通孔６に衝突しないような幅又は大きさに形成しておくことが好ましい。揺れによりワッシャ８ｃが垂直片２に衝突したり、吊りボルト７が通孔６に衝突するとフレーム１に衝撃的な大きな曲げモーメントが発生して梃の作用によりアンカーナット１１を引き抜く方向の力が加わり、天井部１０を破損することになるからである。なお、上記実施例では脱落防止部８として、脱落防止用ナット８ａ、緩衝材８ｂ、ワッシャ８ｃを使用した例を示したが、脱落防止用ナット８ａとワッシャ８ｃに代えて、座付きナットを使用してもよい。上記の形態は他の実施例においても適用される。
【００２９】
図４は、本発明の第２実施例で、フレーム１が垂直片２を１つとし、その上下両端に上・下水平片３、４を設けたコ字状のものである。フレーム固着部５及び通孔６は実施例１と同様に形成されている。そして前述のように地震が発生し、吊りボルト７が捻じ込み基部７ａで破断した場合、実施例１と同様、破断した吊りボルト７に螺着した脱落防止部８が下水平片４の通孔６に係合して実施例１と同様に吊支装置１２の落下を防止することができる。なおこの場合、フレーム１の垂直片２が１つで上・下水平片３、４が片持ちとなるため、垂直片２が吊支装置１２の重量に応じて撓むことになる。この撓みによって、破断時の衝撃を吸収することができるので、緩衝材８ｂを省略してもよい。また、第２実施例でも第１実施例と同様に地震による吊りボルト７の撓みが生じたとき、脱落防止部８や吊りボルト７が、垂直片２や通孔６に接触しない程度に通孔６や垂直片２の間隔を上記のように空けておくことが好ましい。
【００３０】
図５〜７は、本発明の第３実施例で、既設の吊りボルト７に装着できる落下防止具Ａである。フレーム１は、フレーム固着部５及び通孔６を通って２分割されたフレーム半体１ａ、１ｂとで構成され、脱落防止部８は、吊りボルト７への固着部分を通って２分割された防止部半体８ａ１、８ａ２とで構成されている。
【００３１】
フレーム半体１ａ、１ｂは、図６から分かるように、一方の側面に丁番部１ｆが形成されていて、開閉可能になっている。そして他方の側面には耳部１ｃ、１ｄが延出されており、一方の耳部１ｃにはボルト孔１ｃ１が穿設されており、他方の耳部１ｄにはこれに一致してねじ孔１ｄ１が螺設されている。
【００３２】
フレーム固着部５は、図６の場合、２分割体で雌ネジ部半体５ａ、５ｂとなっており、フレーム半体１ａ、１ｂの下面にそれぞれ溶接で一体化されている。分割面には雌ネジ５ｆが刻設されており、丸孔３ａに一致している。勿論、丸孔３ａの丸孔３ａに雌ネジを刻設し、これをフレーム固着部５としてもよい。
【００３３】
本実施例では、脱落防止部８の脱落防止ナット８ａは、脱落防止ナット８ａは、２分割体のナット半体８ａ１、８ａ２とで構成されており、その一方の側面に丁番部８ｔが形成され、ナット半体８ａ１、８ａ２が軸８ｅにて開閉可能となっている。分割面には雌ネジ部９が刻設されており、ナット半体８ａ１の他方の側面にボルト孔８ｄが、ナット半体８ａ２の他方の側面に雌ネジ孔８ｇが形成され、締め込みボルト８ｈがここに装着されている。
【００３４】
緩衝材８ｂはリング状に形成されていて、前述同様、合成ゴムや、低反発ゴム等が使用され、切れ目が設けられており、切れ目部分に係合突起８ｂ１、８ｂ２が形成されている。
【００３５】
この場合は、既設の吊りボルト７に装着するため、フレーム半体１ａ、１ｂを開き、天井部１０から吊り下がっている吊りボルト７を、その前後からフレーム半体１ａ、１ｂにて挟み込み、丸孔３ａ及び通孔６に吊りボルト７を挿通すると共にフレーム固着部５の雌ネジ５ｆを吊りボルト７に噛に込ませる。前述のように、丸孔３ａに雌ネジが刻設されておれば、丸孔３ａが、閉じたフレーム１が吊りボルト７に係合して落下しない。そしてこの状態で、締結ボルト１ｅを耳部１ｃ、１ｄに螺装してフレーム１を仮留めする。
【００３６】
この状態で、緩衝材８ｂを係合突起８ｂ１、８ｂ２を外して緩衝材８ｂを開き、吊りボルト７に外嵌しれから、再度、係合突起８ｂ１、８ｂ２を嵌め合わせる。
【００３７】
続いて、脱落防止部８を開き、仮留めしたフレーム１内で吊りボルト７に嵌め込む。脱落防止部８は緩衝材８ｂの直上に配置され、締め込みボルト８ｈでそれぞれ仮固定され、吊りボルト７に噛合させる。
【００３８】
この状態でフレーム１を螺進させて天井部１０の下面に接触させ、締結ボルト１ｅを締め込んでフレーム１を固定一体化する。そして、脱落防止部８を緩衝材８ｂに軽く接触するまで螺進させる。最後に、締め込みボルト８ｈを締め込んで脱落防止部８を固定一体化する。このように既設の吊りボルト７に落下防止具Ａを装着するが、この状態で、地震が発生すると、実施例１で述べたと同じ状態で吊支装置１２の落下が防止される。なお、取り付け手順は一例であり、上記の手順に限定されることはなく、この点も他の実施例においても同様である。
【００３９】
図７はフレーム固着部５が２分割の別体で、雌ネジ部半体５ａ、５ｂとで構成されており、その一方の側面に丁番部５ｔが形成され、雌ネジ部半体５ａ、５ｂが軸５ｅにて開閉可能となっている。分割面には雌ネジ５ｆが刻設されており、雌ネジ部半体５ａの他方の側面にボルト孔５ｄが、雌ネジ部半体５ｂの他方の側面に雌ネジ孔５ｇが形成され、締め込みボルト５ｈがここに装着されている。
【００４０】
本実施例では、脱落防止部８の脱落防止ナット８ａは、図６と同一形状のものが採用されており、その説明を援用する。緩衝材８ｂも図６と同一形状のものが採用されており、その説明を援用する。
【００４１】
しかして、フレーム半体１ａ、１ｂを開き、天井部１０から吊り下がっている吊りボルト７を、その前後からフレーム半体１ａ、１ｂにて挟み込み、丸孔３ａ及び通孔６に吊りボルト７を挿通する。丸孔３ａに雌ネジが刻設されておれば、丸孔３ａが吊りボルト７に噛に込み、閉じたフレーム１が吊りボルト７に係合して落下しない。そしてこの状態で、締結ボルト１ｅを耳部１ｃ、１ｄに螺装してフレーム１を仮留めする。この状態で、緩衝材８ｂを前記同様にして吊りボルト７に外嵌する。
【００４２】
続いて、フレーム固着部５及び脱落防止部８を開き、仮留めしたフレーム１内で吊りボルト７に嵌め込む。フレーム固着部５は上水平片３の直下で、脱落防止部８は緩衝材８ｂの直上に配置され、締め込みボルト５ｈ、８ｈでそれぞれ仮固定され、吊りボルト７に噛合する。
【００４３】
この状態でフレーム１を天井部１０の下面に接触させ、続いてフレーム固着部５を天井部１０方向に螺進させてフレーム１を天井部１０の下面に押圧する。そして、脱落防止部８を緩衝材８ｂに軽く接触するまで螺進させる。最後に、締結ボルト１ｅ、締め込みボルト５ｈ、８ｈを締め込んでフレーム１、フレーム固着部５及び脱落防止部８を固定一体化する。地震発生時は前述の作用で吊支装置１２の落下が防止される。
【符号の説明】
【００４４】
Ａ…落下防止具，１…フレーム，１ａ、１ｂ…フレーム半体, １ｃ、１ｄ…耳部，１ｃ１…ボルト孔，１ｄ１…ねじ孔，１ｅ…締結ボルト，１ｆ…丁番部，２…垂直片，３…上水平片，３ａ…丸孔，４…下水平片，５…フレーム固着部，５ａ、５ｂ…雌ネジ部半体，５ｄ…ボルト孔，５ｅ…軸，５ｆ…雌ネジ，５ｇ…雌ネジ孔，５ｈ…締め込みボルト，５ｔ…丁番部，６…通孔，７…吊りボルト，７ａ…捻じ込み基部，７ｂ…螺入部分，８…脱落防止部，８ａ…脱落防止用ナット，８ａ１、８ａ２…防止部半体，８ｂ…緩衝材，８ｂ１、８ｂ２…係合突起，８ｃ…ワッシャ，８ｄ…ボルト孔，８ｇ…雌ネジ孔，８ｈ…締め込みボルト，８ｔ…丁番部，９…雌ネジ部，１０…天井部，１１…アンカーナット，１２…吊支装置，１３…吊下部材，１４…吊り金具。
【図１】
2014214531.tif 000003
【図２】
2014214531.tif 000004
【図３】
2014214531.tif 000005
【図４】
2014214531.tif 000006
【図５】
2014214531.tif 000007
【図６】
2014214531.tif 000008
【図７】
2014214531.tif 000009